(57)【要約】【課題】搬送部による写真フィルムの搬送時に生じる筐体の揺れを極力抑え、これによって写真フィルムから安定してフィルム画像を読み取る。【解決手段】光源部３０と、光学系としての光学系４０と、受光部５０とを一体に備えた可動ユニット２０を水平面上で一の方向に往復動可能にガイドするガイドレール６０を備えた基台１１と、基台１１に取り付けられ、２種類の写真フィルムＦを一の方向と直交する方向へ搬送するための第１および第２搬送系統８２，８３が並設された搬送ユニット８０と、基台１１に設けられ、光軸が第１および第２搬送系統８２，８３上に位置するべく可動ユニット２０を移動させる移動機構７０とを備えてなり、可動ユニット２０は、基台１１のガイドレール６０に、光源部３０と光学系の間で支持される被ガイド角材２３を備えている。【選択図】  図１
2004266570.tif 000002
【特許請求の範囲】
【請求項１】
フィルム照射用の光源部と、この光源部と対向配設され、前記光源部に対する光軸を形成する光学系と、この光学系を通過した光束を受光する受光部とを一体に備えた筐体を備え、前記光源部と前記光学系との間を搬送される写真フィルムのフィルム画像を前記受光部で撮像する画像読取装置において、前記筐体を支持するとともに、この筐体を水平面上で一の方向に往復動可能にガイドするガイド部材を備えた基台と、前記基台に取り付けられ、異なる種類の写真フィルムを前記一の方向と直交する方向へ搬送するための第１フィルム搬送路及び第２フィルム搬送路が並設された搬送部と、前記基台に設けられ、前記光軸が前記第１フィルム搬送路及び第２フィルム搬送路上に位置するべく前記筐体を移動させる駆動部とを備えてなり、前記筐体は、前記基台のガイド部材に、前記光源部と前記光学系の間で支持される被支持部を備えてなることを特徴とする画像読取装置。
【請求項２】
前記ガイド部材は、平行に配設された長尺な一対のガイドレールであることを特徴とする請求項１記載の画像読取装置。
【請求項３】
前記ガイド部材は、第１フィルム搬送路及び第２フィルム搬送路より下方に位置していることを特徴とする請求項１または２記載の画像読取装置。
【発明の詳細な説明】
【０００１】
【発明の属する技術分野】
本発明は、フィルム照射用の光源部と、この光源部と対向配設され、光源部からの光軸を形成する光学系と、この光学系を通過した光束を受光する受光部とを一体に備えた筐体を備え、光源部と光学系との間を搬送される写真フィルムのフィルム画像を受光部で撮像するように構成された画像読取装置に関するものである。
【０００２】
【従来の技術】
従来、写真フィルムのフィルム画像を走査することにより得られた光像を受光し、当該受光画像を電気信号に変換して焼付装置などの写真処理装置へ出力するようになされた画像読取装置が知られている。受光センサとしては、複数の受光素子（ＣＣＤ（ｃｈａｒｇｅ  ｃｏｕｐｌｅｄ  ｄｅｖｉｃｅ））が一列に複数配列されてなる、いわゆるＣＣＤラインセンサが使用されるのが一般的である。
【０００３】
かかる画像読取装置には、モータからの駆動力を受けて写真フィルムを所定のタイミング（一般的に一定のスピード）で搬送する搬送部によって搬送されてきた写真フィルムに対し、下方からフィルム面照射用の光を発光する光源部が設けられている。そして、写真フィルムを透過した光源部からの光は、レンズ等を備える光学系を通って受光部へ入光され、ここで受光センサに入力されて電気信号に変換されるようになっている。前記搬送部として、複数種類の写真フィルムを搬送するべく搬送路を並設したものが知られている。
【０００４】
また、通常、前記光源部、光学系および受光部は、この順番で縦方向に並設され、これら各部が一体的に取り付けた筐体を有する可動ユニットが形成されている。かかる可動ユニットは、板状の基礎フレームに敷設されたリニアレールに搭載されてガイドされつつ水平方向へ移動して、選択中の搬送路上の写真フィルムに対応させ得るようになされており、かかる可動ユニットの位置変更操作によって１台の画像読取装置で複数種類の写真フィルムに対応することができる。
【０００５】
【発明が解決しようとする課題】
しかしながら、上記のような従来の画像読取装置にあっては、光源部、光学系および受光部が一体化された可動ユニットは、相当の重量になっており、かかる重量物が光源部より下方位置にある基礎フレームに敷設されたリニアレールに支持された状態になっている一方、搬送部は基礎フレームから立直された一対の支持フレーム上に取り付けられて所定高さ位置に設定されていることから、搬送部のモータの駆動時に生じる微振動が支持フレーム、基礎フレーム、リニアレールを介して可動ユニットに伝達されることとなる。従って、可動ユニットは、下端部のリニアレールに当接している部分を支点にして左右に微動することになる。そして、可動ユニットが前記支点回りに微揺動すると、光源部から照射された光の光路が写真フィルムの正規の位置からずれてしまい、これによって、数百ｄｐｉという受光素子の高密度を考慮すると、フィルム画像を安定して読み取り得なくなるという不都合が発生する。
【０００６】
本発明は、上記のような状況に鑑みなされたものであり、写真フィルムの搬送部を光源部、光学系及び受光部を一体支持する筐体を移動させる基台のガイド部材の近傍に配設する構造を採用することによって、写真フィルムの搬送時に生じる振動に対し、搬送部と筐体との振動を実質的に同期させて相対的に相殺させ得るようにしてフィルム画像を安定的に撮像し得るようにした画像読取装置を提供することを目的としている。
【０００７】
【課題を解決するための手段】
請求項１記載の発明は、フィルム照射用の光源部と、この光源部と対向配設され、前記光源部に対する光軸を形成する光学系と、この光学系を通過した光束を受光する受光部とを一体に備えた筐体を備え、前記光源部と前記光学系との間を搬送される写真フィルムのフィルム画像を前記受光部で撮像する画像読取装置において、前記筐体を支持するとともに、この筐体を水平面上で一の方向に往復動可能にガイドするガイド部材を備えた基台と、前記基台に取り付けられ、異なる種類の写真フィルムを前記一の方向と直交する方向へ搬送するための第１フィルム搬送路及び第２フィルム搬送路が並設された搬送部と、前記基台に設けられ、前記光軸が前記第１フィルム搬送路及び第２フィルム搬送路上に位置するべく前記筐体を移動させる駆動部とを備えてなり、前記筐体は、前記基台のガイド部材に、前記光源部と前記光学系の間で支持される被支持部を備えてなることを特徴とするものである。
【０００８】
この発明によれば、被支持部をガイド部材にガイドさせながら筐体を移動させ、当該筐体を第１および第２フィルム搬送路の内の選択された一方の搬送路に対応させられている。この状態で、写真フィルムを選択された搬送路に沿って搬送しつつ、光源部からの光束を写真フィルムに照射することにより、フィルム画像が受光部で受光される。
【０００９】
そして、搬送部による写真フィルムの搬送によって生じる微振動は、光源部、光学系および受光部を一体に備えた筐体に伝達され、これによって筐体も微振動するものの、筐体は、光源部と光学系の間に位置した被支持部を介して基台のガイド部材に支持され、これによって搬送部と筐体とは相対的に非常に接近した位置関係にあるため、搬送部の微振動は、従来のガイド部材が筐体の底部に設けられていた場合に比較して搬送部の振動が増幅された状態で筐体に伝達されることがないばかりか、搬送部および筐体の振動の位相が実質的に一致して相対的にずれは相殺され、生じない状態になる。
【００１０】
したがって、筐体は、搬送部の振動が極力抑えられた状態で伝達される他、両者の振動が相対的に相殺されることにより、たとえ微振動が生じていても、光学系と搬送されつつある写真フィルムとの間の相対的な位置関係に実質的なずれが生じないため、安定してフィルム画像を読み取ることが可能になる。
【００１１】
なお、本発明においては、光源部に例えばレンズや拡散板などの光学系が存在しても、かかる光学系は光源部に含まれるものとする。
【００１２】
請求項２記載の発明は、請求項１記載の発明において、前記ガイド部材は、平行に配設された長尺な一対のガイドレールであることを特徴とするものである。
【００１３】
この発明によれば、ガイド部材が一対のガイドレールによって形成されていることにより、筐体の被支持部を介したガイド部材による支持状態がより安定したものになる。
【００１４】
請求項３記載の発明は、請求項１または２記載の発明において、前記ガイド部材は、第１フィルム搬送路及び第２フィルム搬送路より下方に位置していることを特徴とするものである。
【００１５】
この発明によれば、ガイド部材は、第１および第２フィルム搬送路より下方に位置していることにより、搬送部を上方からガイド部材に被せるようにして当該搬送部を着脱自在に基台に装着することが可能になり、搬送部の装着作業の容易性が確保される。
【００１６】
【発明の実施の形態】
図１は、本発明に係る画像読取装置の一実施形態を示す一部切欠き分解斜視図であり、図２は、その組み立て斜視図である。また、図３は、図２に示す画像読取装置の側面視の断面図であり、図４は、同正面視の断面図である。なお、図１および図２において、Ｘ−Ｘ方向を副走査方向または前後向といい、特に−Ｘ方向を前方、＋Ｘ方向を後方という。また、Ｙ−Ｙ方向を主走査方向、幅方向または左右方向といい、特に−Ｙ方向を左方、＋Ｙ方向を右方という。これらの方向は、写真フィルムＦの搬送方向を基準にして定義している。
【００１７】
図１〜図４に示すように、画像読取装置１０は、所定形状、例えば箱形の基台１１に移動可能に装着される、写真フィルムＦのフィルム画像を読み取るための可動ユニット２０と、この可動ユニット２０の移動をガイドするガイド部材としてのガイドレール６０と、このガイドレール６０によってガイドされる可動ユニット（筐体）２０を正逆移動させる移動機構７０と、基台１１に固定される、写真フィルムＦを搬送するための搬送ユニット８０とを備えた基本構成を有している。
【００１８】
前記基台１１は、図１に示すように、矩形状を呈した底板１２と、この底板１２の前方縁部から立設された前方板１３と、同後方縁部から立設された後方板１４と、同左方縁部から立設された左方板１５と、同右方縁部から立設された右方板１６と、前記前方板１３、後方板１４、左方板１５および右方板１６に支持された天板１７とを備えて構成されている。
【００１９】
天板１７の略右側半分には、下部が基台１１内に装着された可動ユニット２０の、後述する支柱本体２２を上方へ突出させるための支柱本体用開口１７１が設けられているとともに、この支柱本体用開口１７１の左方位置には、後述する光源部３０からの光束を通過させるための主走査方向に長尺の光束通過用開口１７２が設けられている。
【００２０】
そして、支柱本体用開口１７１の左方縁部には、天板１７の一部が上方に向けて折り曲げ処理されることによって形成された左方当止板１８が設けられている一方、支柱本体用開口１７１の右方位置には、右方板１６の上縁部の一部が上方に向けて延設されることによって形成した右方当止板１９が設けられ、これによって支柱本体２２は、これらの当止板１８，１９間で支柱本体用開口１７１内を左右方向（主走査方向）に移動可能になっている。
【００２１】
前記可動ユニット２０は、搬送ユニット８０による搬送中の写真フィルムＦに向けて光を照射する光源部３０と、この光源部３０からの光照射で写真フィルムＦを透過した透過光が入光される光学系４０と、この光学系４０を通過した光束を受光して電気信号に変換する受光部５０とが、基台１１に移動可能に取り付けられた支柱部材２１に装着されることによって形成されている。
【００２２】
前記支柱部材２１は、基台１１に立設される角柱状の支柱本体２２と、この支柱本体２２の底部から左方に向けて延設された前後方向一対の被支持部としての被ガイド角材２３とを備えている。被ガイド角材２３は、ガイドレール６０によってガイドされるものであり、可動ユニット２０は、このガイドに基づき基台１１に対し幅方向に正逆移動するようになっている。
【００２３】
また、前記支柱本体２２の下部は、前後方向に分かれた二股状に形成され、一対の分割体２４が前後で対向した状態になっている。そして、各分割体２４間に移動機構７０を装着する装着空間２５が形成されている。
【００２４】
装着空間２５の上部には、支柱本体２２の左面から突設された棚部２６が設けられ、この棚部２６の上面には、下方に向けて凹設された位置決め凹部２６１が凹設されているとともに、支柱本体２２の頂部には、上方に向けた位置決め突起２２１が突設されている。これらの位置決め凹部２６１および位置決め突起２２１は、支柱本体２２に装着される後述の光学系装着容器４１の位置決めを行うためのものである。前記一対の被ガイド角材２３は、各分割体２４の底部からそれぞれ左方へ向けて突出するように設けられている。
【００２５】
また、前記一対の分割体２４における左面側で且つ天板１７より若干上方位置には、光束通過用開口１７２を介して光源部３０からの光路に外乱光が入光するのを防止するための遮光部材２７が設けられている。この遮光部材２７は、一対の分割体２４間から主走査方向の左方へ向けて突設された支持棒２７１と、この支持棒２７１の先端からさらに左方に向けて突設された遮光部材本体２７２とからなっている。遮光部材本体２７２は、前後方向に向けて切断した場合の断面視で台形状を呈し、その中央部に左右方向へ延びる上下に貫通した光束通過口２７３が設けられている。
【００２６】
そして、かかる遮光部材２７は、可動ユニット２０が、搬送ユニット８０の後述する第１搬送系統８２に対応した第１位置に位置設定された状態で、光束通過口２７３が搬送ユニット８０の天板側第１光束通過孔８２１に上下で対向する一方、第２搬送系統８３に対応した第２位置に位置設定された状態で、光束通過口２７３が搬送ユニット８０の天板側第２光束通過孔８３１に上下で対向するように寸法設定されている。
【００２７】
前記光源部３０は、支柱本体２２の一対の分割体２４下部間に支持された状態で左方へ向けて突設された光源支持部材３１と、この光源支持部材３１に支持された光源ランプ３２とを備えている。光源支持部材３１は、被ガイド角材２３より下方に位置設定されているとともに、少なくとも写真フィルムＦの幅寸法より長尺に寸法設定されている。かかる光源支持部材３１は、左方から目視した状態で凹面状に形成され、その内面側に凹面鏡が形成されている。そして前記光源ランプ３２が凹面鏡の焦点位置に配置されることにより、当該光源ランプ３２からの光を凹面鏡での反射後に平行光束に変換している。
【００２８】
前記光源ランプ３２は、本実施形態においては、可視光成分および赤外光成分の波長成分光を発するものが採用されている。かかる光源ランプ３２を採用したのは、写真フィルムＦを透過する光の内、可視光は写真フィルムＦ上の画像に反応するのはもちろん、写真フィルムＦに付いている傷などにも反応するのに対し、赤外光はフィルム上の画像には反応しないが、写真フィルムＦに付いている傷には反応する性質を有しているため、両光成分を同時に写真フィルムＦに照射してその透過光を可視光成分と赤外光成分とに分光して読み取っておくことにより、その後に行われる焼き付け処理時に所定の画像処理技術に基づいて傷の補修を行うことができるためである。
【００２９】
前記光学系４０は、支柱本体２２に装着される光学系装着容器４１と、この光学系装着容器４１に着脱自在に装着される光学部４５とを備えて構成されている。光学系装着容器４１は、上面が開口した有底の筒体によって形成され、周壁４２の平面視で円弧状を呈した先端部（図１の左方）上縁に左方へ向かって突設された突設片４３が設けられているとともに、この突設片４３に上方へ突設された位置決め螺子４３１が設けられている。この位置決め螺子４３１は、光学部４５の位置決めを行うためのものである。
【００３０】
また、周壁４２の平面視で直線状を呈した基端部（図１の右方）下縁には、前記支柱本体２２の棚部２６に凹設された前記位置決め凹部２６１に対応する位置決め突起４４が突設され、この位置決め突起４４が支柱本体２２の棚部２６の位置決め凹部２６１に嵌め込まれた状態で、周壁４２の基端側の平板部分が支柱本体２２に螺子止めされることにより、光学系装着容器４１が支柱部材２１の支柱本体２２に位置決め状態で固定されることになる。
【００３１】
前記光学部４５は、光学系装着容器４１の内形状に対応した外観形状を有するハウジング４６と、このハウジング４６に内装されたレンズユニット４７とを備えている。ハウジング４６の天板４６３の先端縁部には、位置決め突片４６１が左方へ向かって突設されているとともに、この位置決め突片４６１の中央部には前記光学系装着容器４１の位置決め螺子４３１に対応した位置決め孔４６２が穿設されている。また、天板４６３の基端側は外方に向かって延設されてこの部分に延設部４６４が形成され、この延設部４６４の中央部に前記支柱本体２２の位置決め突起２２１に対応した位置決め孔４６５が穿設されている。
【００３２】
そして、延設部４６４の位置決め孔４６５を支柱本体２２の位置決め突起２２１に外嵌しつつ、位置決め突片４６１の位置決め孔４６２を光学系装着容器４１の突設片４３に突設された位置決め螺子４３１に外嵌した上でナットで締結することにより、光学部４５が位置決め状態で光学系装着容器４１に装着されるようになっている。
【００３３】
前記レンズユニット４７は、光源部３０の光源支持部材３１の内面側に装着された凹面鏡で反射された光源ランプ３２からの光束を受光部５０の所定の位置で結像させるためのものであり、複数枚のレンズが重ね合わされて形成されている。かかるレンズユニット４７から導出された光束を受光部５０へ導くために、天板４６３には、主走査方向へ延びる光束透過用長孔４６６が穿設されている。
【００３４】
前記受光部５０は、レンズユニット４７を透過した光束を受光し、当該光束を光の強さに比例した電気信号に変換するものであり、受光部１５は、主走査方向から見てＬ字状を呈したケーシング５１と、このケーシング５１に付設される一対のＣＣＤ支持プレート５２と、各ＣＣＤ支持プレート５２にそれぞれ搭載される一対のＣＣＤラインセンサ５３と、前記ハウジング４６に内装されたコールドミラー５４とを備えて構成されている。
【００３５】
前記ケーシング５１は、幅方向一対のＬ字状側板と、これらのＬ字状側板における前方上部の側面視で直角状になった縁部間に架設された曲折前面板と、各Ｌ字状側板の後方縁部間に架設された背面板とを備え、Ｌ字状側板、曲折前面板および背面板によって囲繞された空間にレンズユニット４７を透過した光束の光路が形成されるようになっている。かかるケーシング５１は、当該ケーシング５１と一体の連結板５５がハウジング４６の天板４６３にボルト止め等によって接合されることによりハウジング４６に装着されている。
【００３６】
前記コールドミラー５４は、可視光を反射させるのに対し、赤外光を透過させる性質を有するものであり、レンズユニット４７からの光束の光路に対して前後方向へ４５°傾斜して配設されている。したがって、写真フィルムＦを透過した光源部３０からの光束のうち、その可視光成分はコールドミラー５４で反射してその光路を直角に変換される一方、赤外光成分はコールドミラー５４を透過して直進する。
【００３７】
そして、コールドミラー５４により直角に光路を変えられた可視光は、ＣＣＤラインセンサ５３の内の前方側に設けられた可視光用ラインセンサ５３１へ入力される一方、コールドミラー５４を透過した赤外光は、コールドミラー５４の直上に設けられた赤外光用ラインセンサ５３２へ入力されるようになっている。これらのラインセンサ５３１，５３２に入力された光は、それぞれ電気信号に変換されて、例えば写真処理装置に出力されるようになっている。
【００３８】
前記ガイドレール６０は、基台１１に装着された支柱部材２１の左右方向への移動を案内するものであり、基台１１内の前後方向の略中央位置において、略左半分の位置に前記支柱部材２１の一対の被ガイド角材２３に対応するように主走査方向に向けて一対で設けられている。かかるガイドレール６０は、角材によって形成され、その上面に前記被ガイド角材２３が摺接状態で嵌め込まれる左右方向に延びたガイド溝６１が凹設されている。
【００３９】
かかるガイドレール６０は、その両端部が所定の固定金具６２を介して基台１１の天板１７に極めて接近した位置で一体に固定されている。したがって、搬送ユニット８０の駆動で発生した振動は、天板１７、固定金具６２およびガイドレール６０を介して直ちに被ガイド角材２３に伝達されるため、当該被ガイド角材２３と一体の可動ユニット２０は、搬送ユニット８０と同一の位相で振動することになる。
【００４０】
図５は、移動機構７０の一実施形態を示す一部切欠き斜視図であり、（イ）は、分解斜視図、（ロ）は、組立て斜視図である。以下、図５を基に、必要に応じて図１〜図４を参照しながら移動機構７０について詳細に説明する。移動機構７０は、支柱本体２２の分割体２４間に介設されるスパイラルロッド７１と、このスパイラルロッド７１に外嵌される緩衝介設体７２と、前記スパイラルロッド７１を軸心回りに駆動回転させる駆動モータ７６と、この駆動モータ７６の駆動をスパイラルロッド７１に伝達するギヤ群７７とを備えて構成されている。
【００４１】
スパイラルロッド７１は、その右端部から同心で突設された中心軸７１１を有しており、この中心軸７１１が軸受け部材を介して基台１１の右方板１６に貫通され、これによって軸心回りに回転自在になっている。かかるスパイラルロッド７１の中心軸７１１には、ギヤ群７７の内の一つであるロッド用ギヤ７１２が一体回転可能に外嵌され、これによって駆動モータ７６の駆動回転がギヤ群７７およびロッド用ギヤ７１２を介してスパイラルロッド７１に伝達されるようになっている。
【００４２】
前記緩衝介設体７２は、有底の円筒体７３と、この円筒体７３に内装されるナット体７４と、ナット体７４が円筒体７３に内装された状態で当該ナット体７４を左右から挟持する一対のコイルスプリング７５とを備えて構成されている。
【００４３】
前記円筒体７３は、外径寸法が前記一対の分割体２４間の隙間寸法より僅かに小さく寸法設定されているとともに、内径寸法がスパイラルロッド７１の径寸法より大きめに設定され、これによってスパイラルロッド７１を挿通し得るようになっている。かかる円筒体７３の底部（左方側）の中心位置には、スパイラルロッド７１を摺接状態で挿通し得る挿通孔７３１が穿設されているとともに、周面の上下位置には、右縁部から筒心方向に向けて切り込まれて形成した一対の切込み溝７３２が設けられている。かかる円筒体７３は、ナット体７４が内装された状態で、スパイラルロッド７１を挿通する挿通孔７３４の穿設された閉止板７３３により溶接止め等で閉止されるようになっている。
【００４４】
前記ナット体７４は、外径寸法が円筒体７３の内径寸法より僅かに小さい円柱状のナット体本体７４１と、このナット体本体７４１の周面から上下に向けて突設された一対の突設フィン７４２とからなっている。突設フィン７４２は、ナット体本体７４１が円筒体７３に内装された状態で、切込み溝７３２に嵌め込まれるものである。かかる突設フィン７４２は、切込み溝７３２に嵌め込まれた状態で、切込み溝７３２から外部に突出するように径方向の長さ寸法が設定されているため、本実施形態では、一対の分割体２４の対向面の一方側に設けられた左右一対の位置センサ７９によるナット体７４の位置検出に利用されている。
【００４５】
そして、ナット体本体７４１は、長さ寸法が円筒体７３の筒心方向の内寸法の略１／４に寸法設定され、これによって円筒体７３内で左右方向に正逆移動し得るようになっている。かかるナット体本体７４１の各端面には、円筒体７３内に装着される前記コイルスプリング７５を嵌め込むための環状溝７４３がそれぞれ凹設されている。
【００４６】
かかる移動機構７０は、図５の（イ）に矢印で示すように、まず、閉止板７３３の挿通孔７３４にスパイラルロッド７１を差し通し、ついでスパイラルロッド７１の先端側に１つのコイルスプリング７５を外嵌し、引き続きナット体７４およびもう１つのコイルスプリング７５をスパイラルロッド７１に順次嵌め込んだ状態で、突設フィン７４２が切込み溝７３２にはまり込むように調節しながらナット体７４を円筒体７３に挿入していく。
【００４７】
ついで、スパイラルロッド７１の先端を円筒体７３の挿通孔７３１に挿通した状態で、閉止板７３３を各コイルスプリング７５の付勢力に抗して円筒体７３の方向に押圧し、当該閉止板７３３が円筒体７３の縁部に当接した状態で例えば互いに溶接止めしたり、螺子止めすることにより、図５の（ロ）に示すように、スパイラルロッド７１に対する緩衝介設体７２の組み付けが完了する。
【００４８】
このようにして組み付けの完了したスパイラルロッド７１を有する緩衝介設体７２は、その円筒体７３が支柱本体２２の一対の分割体２４間に右方から差し込まれ、閉止板７３３が一対の分割体２４に当接した状態で当該分割体２４に螺子止めその他で固定される。また、スパイラルロッド７１の中心軸７１１は、基台１１の右方板１６に貫通され、この状態の中心軸７１１に右方板１６の外側でロッド用ギヤ７１２が装着固定される。
【００４９】
一方、前記駆動モータ７６は、基台１１の後方板１４の右側部外方に装着され、右方板１６を貫通した駆動軸７６１と前記ロッド用ギヤ７１２との間にギヤ群７７が介設されることにより、駆動モータ７６の駆動が駆動軸７６１、ギヤ群７７およびロッド用ギヤ７１２を介してスパイラルロッド７１に伝達されるようになっている。
【００５０】
そして、基台１１の前記左方当止板１８および右方当止板１９には、支柱本体２２と対向した位置にゴム等の弾性材料からなるストッパ片１８１，１９１がそれぞれ付設され、支柱本体２２は、これらのストッパ片１８１，１９１に当止することにより衝突の衝撃が緩衝されるようになっている。
【００５１】
また、前記位置センサ７９は、一対の分割体２４の対向面の一方側においてナット体７４の可動範囲の左端部と右端部とに対応する位置にそれぞれ設けられている。したがって、ナット体７４が可動範囲の左端部に位置しているか右端部に位置しているかがこれらの位置センサ７９によって検出され、この検出信号によって円筒体７３の駆動が停止されるようになっている。
【００５２】
このように構成された移動機構７０によれば、駆動モータ７６の駆動によるギヤ群７７を介したスパイラルロッド７１を軸心回りに回転させることにより、スパイラルロッド７１に螺合しているナット体７４が軸心方向へ向けて移動することになる。このナット体７４の移動は、コイルスプリング７５および円筒体７３を介して当該円筒体７３と一体の支柱本体２２に伝達され、これによって支柱部材２１が主走査方向に向けて移動する。
【００５３】
そして、支柱本体２２がいずれかのストッパ片１８１，１９１に当止した状態でスパイラルロッド７１の回転が継続されていると、この回転によってナット体本体７４１はコイルスプリング７５の付勢力に抗して当該コイルスプリング７５を圧縮させながら円筒体７３内をさらに進行する。これによって支柱本体２２は、コイルスプリング７５とストッパ片１８１，１９１とによって弾性的に押圧挟持されつつある状態になる。
【００５４】
その後、ナット体７４が可動範囲の終点位置に到達すると、位置センサ７９がそれを検出し、この検出信号に基づいて駆動モータ７６が停止されるため、支柱本体２２のコイルスプリング７５とストッパ片１８１，１９１とによる弾性的な押圧挟持状態が維持されるため、支柱部材２１は、遊びのない状態で支柱本体用開口１７１における主走査方向のいすれかの端部に確実な位置決めされた状態になる。
【００５５】
前記搬送ユニット８０は、受光部５０によって読み取るべき写真フィルムＦを搬送するためのものであり、本実施形態では２種類の写真フィルムＦに対応し得るように構成されている。かかる搬送ユニット８０は、図１〜図４に示すように、ケーシング８１と、このケーシング８１に内装された２種類の写真フィルムＦにそれぞれ対応する２系統の搬送系統（第１搬送系統８２および第２搬送系統８３）とを備えて構成されている。
【００５６】
前記ケーシング８１は、基台１１の天板１７における左方当止板１８より左方部分と略同一の面積を備えた底板８１１と、この底板８１１の左右の縁部から立設された左右一対の側板８１２と、各側板８１２の前縁部間に架設された前面板８１３と、各側板８１２の後縁部間に架設された背面板８１４と、これらの側板８１２、前面板８１３および背面板８１４の各上縁部に架設された天板８１５とを備えている。
【００５７】
各側板８１２は、門形に形状設定されているとともに、底板８１１の前縁部より前方位置および後縁部より後方位置には、いずれも各側板８１２の下方に突出した形状に沿うように板体が延設され、これによってこれらの部分に隙間が形成されないようになされている。そして、特に搬送ユニット８０の前部の下方に突出した部分の内部に写真フィルムＦを巻き取るための巻取り空間８１６が形成されている。
【００５８】
また、天板８１５には，前記光源ランプ３２から照射される光束に対応した位置に、当該光束を通過させる主走査方向に長尺の一対の光束通過孔（第１搬送系統８２に対応した天板側第１光束通過孔８２１および第２搬送系統８３に対応した天板がわ第２光束通過孔８３１）がそれぞれ設けられているとともに、天板８１５の前方部分は開閉可能な蓋体８１６とされている。
【００５９】
また、背面板８１４には、第１および第２搬送系統８２，８３に応じて写真フィルムＦをケーシング８１内に引き入れるための主走査方向に延びる一対のフィルム引入れ口８１７が開口されている。
【００６０】
そして、前記巻取り空間８１６内の適所には、第１および第２搬送系統８２，８３に対応して２台のフィルム巻取りモータ８４が設けられているとともに、これらのフィルム巻取りモータ８４によって駆動される２台のフィルム巻取りリール８５が設けられ、各フィルム引入れ口８１７を通ってケーシング８１内に引入れられた写真フィルムＦは、フィルム巻取りモータ８４の駆動によるフィルム巻取りリール８５の軸心回りの回転によって当該フィルム巻取りリール８５に順次巻き取られるようになっている。
【００６１】
また、フィルム引入れ口８１７からフィルム巻取りリール８５に到るフィルムの搬送路には、写真フィルムＦの幅方向の各縁部を挟持する搬送ローラ対８６が複数設けられている。各搬送ローラ対８６には、前記フィルム巻取りモータ８４の回転駆動を伝達する図略のタイミングベルトが張設され、これによる搬送ローラ対８６の回転で当該搬送ローラ対８６に挟持された写真フィルムＦの定速搬送が確保されるようになっている。
【００６２】
また、ケーシング８１の底板８１１には、前記可動ユニット２０の遮光部材２７に対応した位置が上方に向けて凹没されることによって形成した正面視で台形状の凹没部８１８が設けられ、搬送ユニット８０が基台１１に装着された状態でこの凹没部８１８が摺接状態で遮光部材２７に被さるようになされている。
【００６３】
そして、かかる凹没部８１８の天板には、下方で天板側第１光束通過孔８２１と対向した底板側第１光束通過孔８２２と、同天板側第２光束通過孔８３１に対向した底板側第２光束通過孔８３２とが穿設されている。
【００６４】
そして、搬送ユニット８０は、前方板１３上の所定位置に装着された状態で、底板８１１が螺子止めその他で一体的に固定され、これによって可動ユニット２０に対し確実な位置決めが行われるようになっている。
【００６５】
このように構成された画像読取装置１０によれば、駆動モータ７６の駆動でスパイラルロッド７１を介して可動ユニット２０を搬送ユニット８０の第１搬送系統８２に対応した第１位置と、同第２搬送系統８３に対応した第２位置との間で位置変更することができる。
【００６６】
そして、第１搬送系統８２に適合した種類の写真フィルムＦを読み取るに際しては、可動ユニット２０が第１位置に位置設定される。この状態で写真フィルムＦを第１搬送系統８２側のフィルム引入れ口８１７からケーシング８１内に導入して第１搬送系統８２側のフィルム巻取りリール８５に装着し、第１搬送系統８２側のフィルム巻取りモータ８４の駆動でフィルム巻取りリール８５に巻き取りながら、光源部３０の光源ランプ３２から光を写真フィルムＦに向けて照射すると、この光束は、底板側第１光束通過孔８２２を通って写真フィルムＦを透過する。
【００６７】
この透過光は、天板側第１光束通過孔８２１、遮光部材本体２７２の光束通過口２７３、光学系装着容器４１の光束通過孔４１１および光学部４５のハウジング４６の光束通過孔４５１を通ってレンズユニット４７へ入光される。そして、この光束は、光学部４５のハウジング４６の天板４６３に設けられた光束透過用長孔４６６を通って受光部５０のケーシング５１内に導入され、可視光成分はコールドミラー５４で反射されて可視光用ラインセンサ５３１に受光される一方、赤外光成分はコールドミラー５４を透過して赤外光用ラインセンサ５３２に受光されることになる。
【００６８】
ついで、第２搬送系統８３に適合した種類の写真フィルムＦを読み取るに際しては、駆動モータ７６の駆動により可動ユニット２０が第２位置に位置設定され、この状態で可動ユニット２０が第１搬送系統８２に位置設定され場合と同様の作業が行われることにより、第２搬送系統８３に適合した写真フィルムＦの読み取りが実行される。
【００６９】
そして、本発明の画像読取装置１０は、下部に設けられたフィルム照射用の光源部３０と、その上部に配設され、光源部３０からの光軸を形成する光学系としての光学系４０と、この光学系４０を通過した光束を受光する受光部５０とを一体に備えた可動ユニット２０を備え、光源部３０と光学系４０との間を搬送される写真フィルムＦのフィルム画像を受光部５０で撮像するものであり、可動ユニット２０を支持するとともに、この可動ユニット２０を水平面上で一の方向に往復動可能にガイドするガイドレール６０を備えた基台１１と、基台１１に取り付けられ、２種類の写真フィルムＦを一の方向と直交する方向へ搬送するための第１および第２搬送系統８２，８３が並設された搬送ユニット８０と、基台１１に設けられ、光軸が第１および第２搬送系統８２，８３上に位置するべく可動ユニット２０を移動させる移動機構７０とを備えてなり、可動ユニット２０は、基台１１のガイドレール６０に、光源部３０と光学系の間で支持される被ガイド角材２３を備えてなるものである。
【００７０】
したがって、移動機構７０の駆動で被ガイド角材２３をガイドレール６０にガイドさせながら可動ユニット２０を移動させ、当該可動ユニット２０を第１および第２搬送系統８２，８３の内の選択された搬送系の搬送路に対応させた状態で、写真フィルムＦを選択された搬送路に沿って搬送しつつ、光源部３０からの光束を写真フィルムＦに照射することにより、光束は写真フィルムＦを透過して透過光束となり、この透過光束は光学系４０を通過した後、受光部５０に受光され、フィルム画像が撮像される。
【００７１】
そして、搬送ユニット８０による写真フィルムＦの搬送によって発生した振動は、光源部３０、光学系４０および受光部５０を一体に備えた可動ユニット２０に伝達され、これによって可動ユニット２０も振動するが、可動ユニット２０は、光源部３０と光学系４０との間に位置した被ガイド角材２３を介して基台１１のガイドレール６０に支持され、これによって搬送ユニット８０と可動ユニット２０とは相対的に非常に接近した位置関係になっているため、搬送ユニット８０の微振動は、従来のガイドレール６０が可動ユニット２０の底部に設けられていた場合に比較して搬送ユニット８０の微振動が増幅された状態で可動ユニット２０に伝達されることがないばかりか、搬送ユニット８０および可動ユニット２０の微振動の位相が一致した状態になる。
【００７２】
したがって、可動ユニット２０は、搬送ユニット８０の微振動が極力抑えられた状態で伝達されることの他、両者の微振動の位相が一致することにより、たとえ微振動があっても、光学系４０と搬送されつつある写真フィルムＦとの間の相対的な位置関係に変動が生じないため、従来に比して安定してフィルム画像が撮像される。
【００７３】
また、ガイドレール６０として、互いに平行に配設された長尺な一対のリニアレールを採用しているため、可動ユニット２０の被ガイド角材２３を介したガイドレール６０による支持状態をより安定したものにすることができる。
【００７４】
さらに、ガイドレール６０は、基台１１内において第１および第２搬送系統８２，８３より下方に位置設定しているため、搬送ユニット８０を上方から基台１１に被せるようにして当該搬送ユニット８０を着脱自在に基台１１に装着することが可能になり、搬送ユニット８０の基台１１に対する装着作業の容易性を確保することができる。
【００７５】
本発明は、上記の実施形態に限定されるものではなく、以下の内容をも包含するものである。
【００７６】
（１）上記の実施形態における光源部３０において、図６の（イ）に示すように、光源ランプ３２からの光を光ファイバー３３を通して導光し、出射口３４から拡散板３５を介してレンズユニット４７へ入射するようにしてもよい。この場合、出射幅寸法ｄ１を略８ｍｍに設定するとともに、写真フィルムＦのフィルム面と出射口３４との間の距離ｄ２を略２０ｍｍに設定し、さらに出射口３４からの光線がフィルム面で合掌するように出射調整した上で、光軸と合掌状態の光線との間に形成される角度αを略１２°に設定する。
【００７７】
こうすることによって、光源ランプ３２からの光を無駄なく効率的に写真フィルムＦの傷消し用として使用することができる。また、無駄なく適正な光量を得ることができるため、光源ランプ３２の発熱を抑えることができるとともに、消費電力を削減することができ、延いては光源ランプ３２の耐用期間を延長することができる。
【００７８】
（２）また、図６の（ロ）に示すように、光ファイバー３３の出射口３４を複数に分割してもよいし、図６の（ハ）に示すように、凹面鏡３６を用いて出射口３４から出光される光を反射させ、前記の配光特性（出射幅寸法ｄ１：略８ｍｍ、写真フィルムＦのフィルム面と出射口３４との間の距離ｄ２：略２０ｍｍ、光軸と合掌状態の光線との間に形成される角度α：略１２°）を実現させるようにしてもよい。
【００７９】
（３）さらに、図６の（ニ）に示すように、光源ランプ３２を回動可能に構成し、これによって光源ランプ３２からの光軸の角度を調整可能としてもよい。こうすることによって、たとえ精度の劣る光源ランプ３２用の各種の部品を採用しても、前記の角度調整で適正な光を光ファイバー３３に供給することができるため、部品コストの低減化に貢献することができる。
【００８０】
【発明の効果】
本発明によれば、搬送部による写真フィルムの搬送によって発生した微振動は、光源部、光学系および受光部を一体に備えた筐体に伝達され、これによって筐体も微振動するものの、筐体は、光源部と光学系の間に位置した被支持部を介して基台のガイド部材に支持され、これによって搬送部と筐体とは相対的に非常に接近した位置関係にあるため、搬送部の微振動は、従来のガイド部材が筐体の底部に設けられていた場合に比較して搬送部の振動が増幅された状態で筐体に伝達されることがないばかりか、搬送部および筐体の振動の位相が実質的に一致して相対的にずれは相殺され、生じない状態になる。したがって、筐体は、搬送部の振動が極力抑えられた状態で伝達される他、両者の振動が相対的に相殺されることにより、たとえ微振動が生じていても、光学系と搬送されつつある写真フィルムとの間の相対的な位置関係に実質的なずれが生じないため、安定してフィルム画像を読み取ることができる。
【図面の簡単な説明】
【図１】本発明に係る画像読取装置の一実施形態を示す一部切欠き分解斜視図である。
【図２】図１に示す画像読取装置の組み立て斜視図である。
【図３】図２に示す画像読取装置の側面視の断面図である。
【図４】図２に示す画像読取装置の正面視の断面図である。
【図５】移動機構の一実施形態を示す一部切欠き斜視図であり、（イ）は、分解斜視図、（ロ）は、組立て斜視図である。
【図６】（イ）〜（ニ）は、光源部の他の実施形態を示す説明図である。
【符号の説明】
１０  画像読取装置          １１  基台
１２  底板                  １３  前方板
１４  後方板                １５  左方板
１６  右方板                １７  天板
１７１  支柱本体用開口      １７２  光束通過用開口
１８  左方当止板            １８１，１９１  ストッパ片
１９  右方当止板            ２０  可動ユニット
２１  支柱部材              ２２  支柱本体
２３  被ガイド角材          ２４  分割体
２２１  位置決め突起        ２５  装着空間
２６  棚部                  ２６１  位置決め凹部
２７  遮光部材              ２７１  支持棒
２７２  遮光部材本体        ２７３  光束通過口
３０  光源部                ３１  光源支持部材
３２  光源ランプ            ４０  カメラ部
４１  カメラ装着容器        ４１１  光束通過孔
４２  周壁                  ４３  突設片
４３１  位置決め螺子        ４４  位置決め突起
４５  カメラ                ４５１  光束通過孔
４６  ハウジング            ４６１  位置決め突片
４６２  位置決め孔          ４６３  天板
４６４  延設部              ４６５  位置決め孔
４６６  光束透過用長孔      ４７  レンズユニット
５０  受光部                ５１  ケーシング
５２  ＣＣＤ支持プレート    ５３  ＣＣＤラインセンサ
５３１  可視光用ラインセンサ
５３２  赤外光用ラインセンサ
５４  コールドミラー        ５５  連結板
６０  ガイドレール          ６１  ガイド溝
６２  固定金具
７０  移動機構              ７１  スパイラルロッド
７１１  中心軸              ７１２  ロッド用ギヤ
７２  緩衝介設体            ７３  円筒体
７３１  挿通孔              ７３２  切込み溝
７３３  閉止板              ７３４  挿通孔
７４  ナット体              ７４１  ナット体本体
７４２  突設フィン          ７４３  環状溝
７５  コイルスプリング      ７６  駆動モータ
７６１  駆動軸              ７７  ギヤ群
７９  位置センサ            ８０  搬送ユニット
８１  ケーシング            ８１１  底板
８１２  側板                ８１３  前面板
８１４  背面板              ８１５  天板
８１６  蓋体                ８１７  フィルム引入れ口
８１８  凹没部              ８２  第１搬送系統
８２１  天板側第１光束通過孔
８２２  底板側第１光束通過孔
８３  第２搬送系統          ８３１  天板側第２光束通過孔
８３２  底板側第２光束通過孔
８４  フィルム巻取りモータ
８５  フィルム巻取りリール
８６  搬送ローラ対
【図１】
2004266570.tif 000003
【図２】
2004266570.tif 000004
【図３】
2004266570.tif 000005
【図４】
2004266570.tif 000006
【図５】
2004266570.tif 000007
【図６】
2004266570.tif 000008